(57)【特許請求の範囲】
【請求項１】
煙流入口を有する有底筒型のカバーの内側壁に、防虫網をリング状に内挿固定する光電式煙感知器であって、カバーの底面側に設けた突起とカバーの内側壁との間の間隙で、防虫網の端部を挟持するものであって、前記突起が内側壁との間に防虫網の厚みより大きい間隙を備えて、内側壁側に押し曲げられて内側壁にリング状に内挿された防虫網の端部を固定するように設けられたことを特徴とする光電式煙感知器。
【請求項２】
請求項１記載の光電式煙感知器において、突起に防虫網の裁断バリを収容する逃がし部を設けたことを特徴とする光電式煙感知器。
【請求項３】
請求項１記載の光電式煙感知器において、突起と内側壁が対向する部分の内側壁側に、防虫網の折曲当接部を収容する逃がし部を設けたことを特徴とする光電式煙感知器。
【請求項４】
煙流入口を有する有底筒型のカバーの内側壁に、防虫網をリング状に内挿固定する光電式煙感知器において、カバーの底面側に設けた突起とカバーの内側壁との間の間隙に防虫網の端部を挿入し、前記突起を押圧治具で内側壁側に押し曲げて防虫網の端部を突起と内側壁で挟持する光電式煙感知器の組立て方法であって、前記突起が内側壁との間に防虫網の厚みより大きい間隙を備えて、内側壁側に押し曲げられて内側壁にリング状に内挿された防虫網の端部を固定するように設けられたことを特徴とする光電式煙感知器の組立て方法。
【発明の詳細な説明】
【０００１】
【発明の属する技術分野】
本発明は、光電式煙感知器及び光電式煙感知器の組み立て方法に関する。
【０００２】
【従来の技術】
従来の光電式煙感知器は、図７及び図８に示すように、光電式煙感知器１は、煙検知ユニット２、回路プリント基板ユニット３とを搭載したボディ４に、リング状の防虫網５を内挿したカバーユニット６を嵌合固定して構成していた。
【０００３】
【発明が解決しようとする課題】
上記の従来例では、図８に示すように、防虫網５はリング状になるようにリボン状の素材を接合部７で接合しており、加工が手間であった。
【０００４】
また、カバー８と防虫網５を固定するのに接着剤を使用しており加工性が悪く、防虫網５の目詰まりや、接着剤から放出される悪性ガスにより光電式煙感知器１の電子回路部に悪影響がでることがあった。
【０００５】
更に、光電式煙感知器１を組み立て後において、防虫網５が回転し接合部７
がカバー８の煙流入口９から見えてしまうこともあった。
【０００６】
本発明は上記の問題点を解決するためになされたものであり、その目的とするところは、防虫網の組み立て加工が容易な光電式煙感知器及び光電式煙感知器の組み立て方法を提供することにある。
【０００７】
【課題を解決するための手段】
前記の課題を解決するために、請求項１記載の発明では、煙流入口を有する有底筒型のカバーの内側壁に、防虫網をリング状に内挿固定する光電式煙感知器であって、カバーの底面側に設けた突起とカバーの内側壁との間の間隙で、防虫網の端部を挟持するものであって、前記突起が内側壁との間に防虫網の厚みより大きい間隙を備えて、内側壁側に押し曲げられて内側壁にリング状に内挿された防虫網の端部を固定するように設けられる。
【０００８】
請求項２記載の発明では、突起に防虫網の裁断バリを収容する逃がし部を設ける。
【０００９】
請求項３記載の発明では、突起と内側壁が対向する部分の内側壁側に、防虫網の折曲当接部を収容する逃がし部を設ける。
【００１０】
請求項４記載の発明では、煙流入口を有する有底筒型のカバーの内側壁に、防虫網をリング状に内挿固定する光電式煙感知器において、カバーの底面側に設けた突起とカバーの内側壁との間の間隙に防虫網の端部を挿入し、前記突起を押圧治具で内側壁側に押し曲げて防虫網の端部を突起と内側壁で挟持する光電式煙感知器の組立て方法であって、前記突起が内側壁との間に防虫網の厚みより大きい間隙を備えて、内側壁側に押し曲げられて内側壁にリング状に内挿された防虫網の端部を固定するように設けられる。
【００１１】
【発明の実施の形態】
本発明の一実施の形態を図１乃至図６に基づいて説明する。図１は光電式煙感知器のカバーの上面図、図２はカバーと防虫網の断面図、図３はカバーと防虫網の要部の上面図、図４はカバーと防虫網の要部の上面図、図５はカバーと防虫網を組み立てる状態を示す断面図、図６はカバーと防虫網の断面図である。
【００１２】
光電式煙感知器１は、図７及び図８に示したように、ボディ４に煙検知ユニット２、回路プリント基板ユニット３とを搭載している。そしてカバー８にリング状の防虫網５を内挿してカバーユニット６としている。そしてカバーユニット６を、ボディ４に嵌合固定している。また防虫網５はリボン状の素材を、リング状に曲げてカバー３に挿入する。
【００１３】
煙検知ユニット２は、図示しないが発光素子と受光素子とを有し、火災にともなう煙を検出する。
【００１４】
回路プリント基板ユニット３は、煙の検出信号の信号処理を行い、火災受信機に送出する。又は光電式煙感知器１で警報音を鳴動する。。
【００１５】
さて、図１に示すように光電式煙感知器１のカバー８は、有底筒状で側壁２０には煙流入口９（図８参照）を有している。そしてカバー８の内底面２１には、円周状に８個の突起２２を形成している。
【００１６】
この突起２２はカバー８の内側壁２３との間に間隙２４を有する位置に設けてあり、前記間隙２４は図２に示すように防虫網５の厚みより僅かに大きくしてある。そしてこの間隙２４に防虫網５の端部３０が挟持される。
【００１８】
前記間隙２４が防虫網５の厚みより僅かに大きいので、後工程で突起２２を内側壁２３側に押し曲げて、防虫網５の端部３０を挟持する。
【００１９】
また図３に示すように、突起２２の１つは、中央で２つに分割して小突起２２ａ，２２ｂを形成している。この小突起２２ａ，２２ｂの間の部分は、防虫網５の長手方向の端部の裁断バリ３１，３１が収容される逃がし部２５になっている。防虫網５の裁断バリ３１，３１の当接部分は、互いに予め溶接等で接合してもよいが、接合していない場合でも裁断バリ３１，３１自身が突起２２の逃がし部２５に入り込み当接又は当接に近い状態を保持できる。
【００２０】
図４は防虫網５の折曲当接部３２，３２の突出部３３を、カバー８の内側壁２３に設けた逃がし部２６に嵌まり込むようにした例である。
【００２１】
この場合も防虫網５の折曲当接部３２，３２は予め溶接等で接合してもよいが、接合していない場合でも折曲当接部３２，３２自身が逃がし部２６に入り込み当接又は当接に近い状態を保持できる。
【００２２】
次に、カバー８と防虫網５の組み立て方法について説明する。まず組み立てに使用する圧入治具４０は、加圧本体４１と、位置決め部４２と、防虫網押部４３本体支持部４４からなっている。加圧本体４１は中実の円柱状に形成し、端部４５で突起２２を押圧する。位置決め部４２の内壁４６は、カバー８の外径寸法に合わせてあり、圧入治具４０とカバー８の位置を合わせる。防虫網押部４３は端部４５が突起２２を押し曲げするときに、防虫網５の浮き上がりを防止する。本体支持部４４は加圧装置（図示せず）と連結して、圧入治具４０を押し下げる。
【００２３】
さて、上記の圧入治具４０を使用して、カバー８と防虫網５の組み立て方法を説明する。まずカバー８の内側壁２３と突起２２の間に防虫網５を挿入する。その際、図３の防虫網５の裁断バリ３１，３１部分、及び図４の折曲当接部３２，３２の突出部３３を、それぞれ逃がし部２５、逃がし部２６に嵌め込む。
【００２４】
次に、圧入治具４０をカバー８内へ加圧挿入し、各突起２２をカバー８の内側壁２３側へ押し曲げ、防虫網５の端部３０を、突起２２と内側壁２３で挟持する。
【００２５】
【発明の効果】
請求項１記載の発明によれば、煙流入口を有する有底筒型のカバーの内側壁に、防虫網をリング状に内挿固定する光電式煙感知器であって、カバーの底面側に設けた突起とカバーの内側壁との間の間隙で、防虫網の端部を挟持するものであって、前記突起が内側壁との間に防虫網の厚みより大きい間隙を備えて、内側壁側に押し曲げられて内側壁にリング状に内挿された防虫網の端部を固定するように設けられているので、接着剤を用いずにカバーと防虫網の固定を短時間で容易に行うことができるという効果を奏する。更に、カバーと防虫網を確実に挟持できるという効果も奏する。
【００２７】
請求項２記載の発明によれば、請求項１記載の発明の効果に加えて、突起に防虫網の裁断バリを収容する逃がし部を設けたので、裁断バリを逃がし部に収容して、防虫網の回転を防止することができ、また防虫網に回転止めのための手段を設ける必要がない。
【００２８】
請求項３記載の発明によれば、請求項１記載の発明の効果に加えて、突起と内側壁が対向する部分の内側壁側に、防虫網の折曲当接部を収容する逃がし部を設けたので、防虫網の折曲当接部を逃がし部に収容して、防虫網の回転を防止することができるという効果を奏する。
【００２９】
請求項４記載の発明によれば、煙流入口を有する有底筒型のカバーの内側壁に、防虫網をリング状に内挿固定する光電式煙感知器において、カバーの底面側に設けた突起とカバーの内側壁との間の間隙に防虫網の端部を挿入し、前記突起を押圧治具で内側壁側に押し曲げて防虫網の端部を突起と内側壁で挟持する光電式煙感知器の組立て方法であって、前記突起が内側壁との間に防虫網の厚みより大きい間隙を備えて、内側壁側に押し曲げられて内側壁にリング状に内挿された防虫網の端部を固定するように設けられているので、カバーと防虫網の固定を短時間で容易に行うことができるという効果を奏する。更に、カバーと防虫網の固定のための突起の押し曲げが容易に行えるという効果も奏する。
【図面の簡単な説明】
【図１】本発明の実施の形態の光電式煙感知器のカバーの上面図である。
【図２】同上のカバーと防虫網の断面図である。
【図３】同上のカバーと防虫網の要部の上面図である。
【図４】同上のカバーと防虫網の要部の上面図である。
【図５】同上のカバーと防虫網を組み立てる状態を示す断面図である。
【図６】同上のカバーと防虫網の断面図である。
【図７】従来例の光電式煙感知器の分解断面図である。
【図８】従来例の光電式煙感知器の分解斜視図である。
【符号の説明】
１        光電式煙感知器
５      防虫網
７      接合部
８      カバー
２１    底面
２２    突起
２３    内側壁
３０    端部
３１    裁断バリ
３２    折曲当接部
【図１】
0003612944.tif 000002
【図２】
0003612944.tif 000003
【図３】
0003612944.tif 000004
【図４】
0003612944.tif 000005
【図５】
0003612944.tif 000006
【図６】
0003612944.tif 000007
【図７】
0003612944.tif 000008
【図８】
0003612944.tif 000009